(57)【要約】      （修正有）【課題】噴霧状態と停止状態の切り替えが容易に行える噴霧器を提供する。【解決手段】噴霧器の液体供給路の途中に設けられた弁体２１を閉弁ばね２２で閉方向に付勢し、その弁体２１に一体に連結された回転体２４と、開閉ボタン５が取り付けられた押圧体２６とを端面どうしで対向するように配し、回転体２４の案内溝２４ａと係合する固定ピン２７を設けて、弁体２１が液体供給路９を閉じた閉状態（停止状態）から、開閉ボタン５を押圧体２６とともに押し込んで回転体２４を押圧するだけで、回転体２４を回転させながら弁体２１と一体に軸方向移動させた後にその軸方向移動を規制して、弁体２１が液体供給路９を開いた開状態（噴霧状態）を保持することができ、また、開状態からスライド体２８をスライドさせるだけで、回転体２４を逆回転させてその軸方向移動規制を解除し、閉弁ばね２２の弾力で閉状態に戻せるようにした。【選択図】図３
2015073929.tif 000002
【特許請求の範囲】
【請求項１】
先端にノズル部を有する本体と、前記ノズル部への液体供給路の途中に設けられた弁体と、前記弁体を操作して液体供給路を開閉する開閉機構とを備えた噴霧器において、
前記開閉機構は、前記弁体の閉方向に沿って延びる円筒状の筒体と、前記筒体に挿入され、その軸心まわりに回転可能かつ軸方向移動可能に保持された回転体と、前記回転体を前記弁体に一体に連結する連結部材と、前記筒体の内周面から突出し、前記回転体と係合する固定ピンと、前記弁体および回転体を弁体の閉方向に付勢する閉弁ばねと、前記筒体の内周面から突出する突起を有し、前記筒体の軸方向にスライド可能に保持されたスライド体とを備え、
前記弁体が前記閉弁ばねに押されて液体供給路を閉じた閉状態から、前記回転体を閉弁ばねの弾力に抗して押圧したときに、前記回転体が前記固定ピンに案内されて一定方向に回転しながら弁体と一体に軸方向移動した後にその軸方向移動を規制されることにより、前記弁体が液体供給路を開いた開状態が保持されるようになり、
前記開状態から前記スライド体をスライドさせて前記突起を前記回転体と係合させることにより、前記回転体が前記一定方向と逆の方向に回転して、前記固定ピンによる軸方向移動の規制を解除され、前記弁体と一体に前記閉弁ばねに押されて軸方向移動し、前記閉状態に戻るようにしたものであることを特徴とする噴霧器。
【請求項２】
前記回転体は、その外周面に軸方向に対して斜めに延びる案内溝と、前記案内溝の一端から軸方向に対して直交し、かつ案内溝と鈍角をなす方向に延びる係止溝とが連続して設けられており、前記閉状態から前記回転体を押圧したときは、前記固定ピンが回転体に対して相対的に前記案内溝内を移動した後に前記係止溝に入り込むことにより、前記回転体が一定方向に回転しながら軸方向移動した後にその軸方向移動を規制されるようにしたことを特徴とする請求項１に記載の噴霧器。
【請求項３】
前記回転体の外周面に、軸方向に対して斜めに延びる傾斜面を有する凸部を設け、前記スライド体の突起に、前記回転体が軸方向移動を規制された状態のときに前記凸部の傾斜面と平行に係合する係合面を設けたことを特徴とする請求項１または２に記載の噴霧器。
【請求項４】
前記スライド体を前記回転体から離れる方向に付勢する離反ばねを設け、前記開状態からスライド体を前記離反ばねの弾力に抗して押圧してスライドさせることにより、前記スライド体の突起が回転体と係合するようにしたことを特徴とする請求項１乃至３のいずれかに記載の噴霧器。
【請求項５】
前記本体に前記液体供給路の一部が通された把持部を設け、前記把持部を作業者が把持したときにその親指で前記回転体およびスライド体を押圧可能な位置に前記開閉機構を設けたことを特徴とする請求項４に記載の噴霧器。
【発明の詳細な説明】
【技術分野】
【０００１】
本発明は、液体供給路の途中に設けた弁体を操作して噴霧状態と停止状態の切り替えを行うようにした噴霧器に関する。
【背景技術】
【０００２】
農業用の薬液等の液体の噴霧に使用される噴霧器は、通常、本体の先端にノズル部を有しており、そのノズル部への液体供給路の途中に設けた弁体を操作することにより、噴霧状態と停止状態の切り替えを行うようになっている。
【０００３】
例えば、筒状の本体の後端側にその外周から突出するように把持部を設けたガン（ピストル）タイプの噴霧器では、弁体を操作して液体供給路を開閉する開閉機構として、弁体を閉方向に付勢する閉弁ばねを設け、弁体に連結されたレバーを本体に回動可能に取り付け、レバーにリング等の係止片を設けて、この係止片が掛けられる係止部を把持部に設けたものが採用されることが多い（例えば、特許文献１参照。）。この開閉機構によれば、作業者が閉弁ばねの弾力に抗してレバーを把持部と一緒に握り込んで、弁体を開方向に移動させ、レバーの係止片を係止部に掛けることにより、弁体が液体供給路を開いた状態（以下、「開状態」とも称する。）でレバーを保持して液体の噴霧を行うことができ、係止片を係止部から外すと、閉弁ばねの弾力によってレバーが初期位置に復帰するとともに、弁体が閉方向に移動して液体供給路を閉じた状態（以下、「閉状態」とも称する。）となり、噴霧を停止することができる。
【先行技術文献】
【特許文献】
【０００４】
【特許文献１】特開２０１０−１１０７１７号公報
【発明の概要】
【発明が解決しようとする課題】
【０００５】
しかしながら、上述したような従来のレバー式の開閉機構を有する噴霧器では、作業者が噴霧作業を始めようとするときに、作業者側の条件等によっては、レバーを把持部と一緒に握り込む動作をスムーズに行えないことがある。また、レバーを把持部と一緒に握り込んだ後、その状態を保持しながら係止片を係止部に掛けるようになっている場合は、その二つの動作を順に行うことに対して、作業者が面倒に感じることが多い。
【０００６】
さらに、係止片を係止部に掛けた後は、把持部のみを持つように握りなおして噴霧作業を行うか、あるいはレバーと把持部を一緒に握ったままで噴霧作業を行う必要があり、このときの操作性の点でも改善の余地があった。
【０００７】
そこで、本発明は、噴霧状態と停止状態の切り替えが容易に行え、操作性に優れた噴霧器を提供することを課題とする。
【課題を解決するための手段】
【０００８】
上記の課題を解決するために、本発明は、先端にノズル部を有する本体と、前記ノズル部への液体供給路の途中に設けられた弁体と、前記弁体を操作して液体供給路を開閉する開閉機構とを備えた噴霧器において、前記開閉機構は、前記弁体の閉方向に沿って延びる円筒状の筒体と、前記筒体に挿入され、その軸心まわりに回転可能かつ軸方向移動可能に保持された回転体と、前記回転体を前記弁体に一体に連結する連結部材と、前記筒体の内周面から突出し、前記回転体と係合する固定ピンと、前記弁体および回転体を弁体の閉方向に付勢する閉弁ばねと、前記筒体の内周面から突出する突起を有し、前記筒体の軸方向にスライド可能に保持されたスライド体とを備え、前記弁体が前記閉弁ばねに押されて液体供給路を閉じた閉状態から、前記回転体を閉弁ばねの弾力に抗して押圧したときに、前記回転体が前記固定ピンに案内されて一定方向に回転しながら弁体と一体に軸方向移動した後にその軸方向移動を規制されることにより、前記弁体が液体供給路を開いた開状態が保持されるようになり、前記開状態から前記スライド体をスライドさせて前記突起を前記回転体と係合させることにより、前記回転体が前記一定方向と逆の方向に回転して、前記固定ピンによる軸方向移動の規制を解除され、前記弁体と一体に前記閉弁ばねに押されて軸方向移動し、前記閉状態に戻るようにしたものを採用した。
【０００９】
上記の構成によれば、弁体が液体供給路を閉じた閉状態から、開閉機構の回転体を押圧するだけで、回転体を回転させながら弁体と一体に軸方向移動させた後にその軸方向移動を規制して、弁体が液体供給路を開いた開状態を保持することができ、また、開状態からスライド体をスライドさせるだけで、回転体を逆回転させてその軸方向移動規制を解除し、閉弁ばねの弾力で閉状態に戻すことができるので、前述のレバー式の開閉機構を有するものに比べて、噴霧器の噴霧状態と停止状態の切り替えが容易になるうえ、噴霧作業中の操作性を向上させることもできる。
【００１０】
ここで、具体的には、前記回転体として、その外周面に軸方向に対して斜めに延びる案内溝と、前記案内溝の一端から軸方向に対して直交し、かつ案内溝と鈍角をなす方向に延びる係止溝とが連続して設けられたものを採用し、前記閉状態から前記回転体を押圧したときは、前記固定ピンが回転体に対して相対的に前記案内溝内を移動した後に前記係止溝に入り込むことにより、前記回転体が一定方向に回転しながら軸方向移動した後にその軸方向移動を規制されるようにしたり、前記回転体の外周面に、軸方向に対して斜めに延びる傾斜面を有する凸部を設け、前記スライド体の突起に、前記回転体が軸方向移動を規制された状態のときに前記凸部の傾斜面と平行に係合する係合面を設けたりすることができる。
【００１１】
また、前記スライド体を前記回転体から離れる方向に付勢する離反ばねを設け、前記開状態からスライド体を前記離反ばねの弾力に抗して押圧してスライドさせることにより、前記スライド体の突起が回転体と係合するようにすれば、その係合によって回転体の軸方向移動規制が解除された後にスライド体から手を離すだけで、スライド体を初期位置に復帰させることができるので、噴霧器の操作がより簡単になる。
【００１２】
さらに、前記本体に前記液体供給路の一部が通された把持部を設け、前記把持部を作業者が把持したときにその親指で前記回転体およびスライド体を押圧可能な位置に前記開閉機構を設けるようにすれば、作業者が片手で把持部を握ったまま噴霧状態と停止状態の切り替えが行えるようになるので、噴霧器の操作性をさらに向上させることができる。
【発明の効果】
【００１３】
本発明の噴霧器は、上述したように、噴霧を開始するときは開閉機構の回転体を押圧するだけでよく、また、噴霧を停止するときは開閉機構のスライド体をスライドさせるだけでよいので、噴霧状態と停止状態の切り替えが容易で、噴霧作業中の操作性の向上も図れる。
【図面の簡単な説明】
【００１４】
【図１】実施形態の噴霧器の正面図（噴霧状態）
【図２】図１の噴霧器の縦断面図（停止状態）
【図３】図２のIII−III線に沿った断面図
【図４】ａ、ｂは、互いに異なる方向から見た図１の開閉機構の要部の分解斜視図
【図５】ａ〜ｃはそれぞれ停止状態と噴霧状態の切り替え動作を説明する開閉機構の要部の拡大正面図
【発明を実施するための形態】
【００１５】
以下、図面に基づき、本発明の実施形態を説明する。この噴霧器は、図１および図２に示すように、筒状の本体１と、本体１の先端に設けられたノズル部２と、本体１の後端側の外周面から斜め後方に延びる把持部３とを備え、液体を供給するホース（図示省略）を把持部３の下端に接続した状態で、把持部３に設けた開閉機構４の開閉ボタン５を押すことによってノズル部２から液体を噴出するガンタイプのものである。そして、本体１内の回転軸６に連結された調節つまみ７を回転操作することによって、液体の噴出量を調節できるようになっている。なお、本体１の先端側（以下、単に「先端側」、「後端側」というときは本体１を基準とする。）には、ノズル部２の径方向外側を覆う筒状のフード８が取り付けられている。
【００１６】
前記本体１は、その内周面と回転軸６との間にノズル部２への液体供給路９が形成され、この液体供給路９の途中に流量調節弁１０が設けられている。また、本体１の後端側の内周面に設けられた雌ねじ１ａに、回転軸６の外周に嵌合固定された雄ねじ部材１１と、回転軸６を通して本体１の後端開口を閉塞する蓋部材１２がねじ結合されている。
【００１７】
前記流量調節弁１０は、本体１の内周面に設けられた環状の弁座１３と、回転軸６の先端部に設けられた円錐状の弁体１４とからなる。そして、調節つまみ７を回転操作して回転軸６を回転させると、回転軸６外周の雄ねじ部材１１と本体１内周面の雌ねじ１ａとのねじ結合により、回転軸６が軸方向に移動し、その先端の弁体１４の弁座１３との間の間隔（弁体１４の開度）が変化して、ノズル部２に送られる液体の流量すなわち液体噴出量を調節できるようになっている。
【００１８】
前記ノズル部２は、本体１内の流量調節弁１０よりも先端側の液体供給路９に筒状の整流中子１５を挿入し、本体１にねじ結合するキャップ１６で円錐状の噴板１７を整流中子１５の先端に固定したもので、噴板１７の中央部に設けた噴出口１７ａから液体が噴出される。
【００１９】
前記把持部３は、本体１と一体に形成されており、その内部には前記液体供給路９の一部が通されている。そして、液体供給路９の途中に本体１と平行に円筒穴部９ａが形成され、この円筒穴部９ａに開閉弁１８が設けられている。円筒穴部９ａは本体１の先端側に開口しており、その先端開口を蓋部材１９で閉塞されている。
【００２０】
前記開閉弁１８は、円筒穴部９ａの内周面に設けられた環状の弁座２０と、弁座２０に対して接離可能に保持された円錐台状の弁体２１とからなる。その弁体２１は、前記蓋部材１９との間に設けられた閉弁ばね２２で弁座２０に押し付けられる方向（閉方向）に付勢されており、後述するように前記開閉機構４によって操作されて液体供給路９を開閉するようになっている。閉弁ばね２２としては、弁体２１の大径側端面に設けられた突軸が挿入されるコイルばねが用いられている。
【００２１】
前記開閉機構４は、図２および図３に示すように、前記開閉弁１８の弁体２１の閉方向に沿って延びる状態で把持部３に埋め込まれた有底円筒状の筒体２３と、この筒体２３に挿入され、筒体２３の軸心まわりに回転可能かつ軸方向移動可能に保持された二段円筒状の回転体２４と、回転体２４を弁体２１に一体に連結する連結軸（連結部材）２５と、回転体２４の後端側の小径部と端面どうしで対向するように先端側が筒体２３に挿入された押圧体２６と、筒体２３の内周面から突出し、回転体２４と係合する固定ピン２７と、回転体２４を挟んで固定ピン２７と対向する位置で筒体２３の軸方向にスライド可能に保持されたスライド体２８とを備えている。固定ピン２７は、六角ボルトの先端におねじのない小径の先端部２７ａを形成したもので、把持部３の側面から筒体２３にねじ込まれて、その先端部２７ａで回転体２４と係合している。
【００２２】
前記筒体２３は後端側の開口を蓋部材２９で閉塞されており、その蓋部材２９を貫通する押圧体２６の後端部に前記開閉ボタン５が取り付けられて、作業者が把持部３を把持したときにその親指で開閉ボタン５および押圧体２６を介して回転体２４を押圧できるようになっている。また、筒体２３には正面側（図３の下側）で軸方向に延びる開口２３ａが形成されており、その上下の開口縁部（図示省略）がスライド体２８の筒体２３軸方向へのスライドを案内するようになっている。
【００２３】
図３および図４に示すように、前記回転体２４は、その外周に軸方向に対して斜めに延びる案内溝２４ａと、案内溝２４ａの一端（後端）から軸方向に対して直交し、かつ案内溝２４ａと鈍角をなす方向に延びる係止溝２４ｂとが連続して設けられており、この案内溝２４ａまたは係止溝２４ｂで固定ピン２７の先端部２７ａと係合している。また、この回転体２４には、大径部と小径部との段差面から後端側へ突出し、軸方向に対して斜めに延びる傾斜面を有する凸部２４ｃが設けられている。
【００２４】
前記スライド体２８は、筒体２３の正面側開口２３ａの上下縁部と摺動する断面Ｈ字状の摺動部２８ａと、摺動部２８ａの外側で筒体２３の軸方向に延びる蓋部２８ｂと、蓋部２８ｂの外側面から筒体２３の径方向に延びる押圧部２８ｃと、摺動部２８ａの内側面に沿って延び、筒体２３の内周面から突出する楔状の突起２８ｄとを一体に形成したもので、作業者が把持部３を把持したときにその親指で押圧部２８ｃを押圧できるようになっている。そして、このスライド体２８を回転体２４から離れる方向に（後端側へ）付勢する離反ばね３０が、把持部３の正面側の側面にねじ止めされたばね支持片３１との間に設けられている。なお、この離反ばね３０は、コイルばねが用いられており、スライド体２８の摺動部２８ａとばね支持片３１のそれぞれに設けられた突軸を両端部に挿入された状態で支持されている。
【００２５】
この噴霧器は上述したような構成であり、次に、その噴霧状態と停止状態の切り替え動作を図５に基づいて説明する。
【００２６】
図５（ａ）は、開閉弁１８の弁体２１が閉弁ばね２２の弾力により弁座２０に押し付けられて閉状態となり、噴霧器の噴霧が停止された状態（停止状態）を示している。このときには、弁体２１に連結軸２５で連結された回転体２４と、回転体２４の後端面に対向する押圧体２６と、押圧体２６に取り付けられた開閉ボタン５とが初期位置にあり、回転体２４の案内溝２４ａの先端部分が固定ピン２７の先端部２７ａの位置にある。また、スライド体２８も回転体２４と接触しない初期位置にある。
【００２７】
図５（ａ）の停止状態から、閉弁ばね２２の弾力に抗して開閉ボタン５を押圧体２６とともに押し込んでいくと、図５（ｂ）に示すように、まず、押圧体２６に押圧された回転体２４が、固定ピン２７に案内されて（固定ピン先端部２７ａが回転体２４に対して相対的に案内溝２４ａ内を移動することにより）、一定方向へ回転しながら先端側へ軸方向移動する。その後、回転体２４の回転により固定ピン先端部２７ａが相対的に案内溝２４ａから係止溝２４ｂへ入り込むと、回転体２４が軸方向移動を規制されて停止する。これにより、回転体２４と一体の弁体２１も弁座２０から離れた位置で停止して開状態となるので、開閉ボタン５の押圧を止めても（開閉ボタン５から手を離しても）、弁体２１の開状態すなわち噴霧器の噴射状態が保持される。
【００２８】
一方、図５（ｂ）で開閉ボタン５の押圧を止めた状態（通常の噴射状態）から、離反ばね３０の弾力に抗してスライド体２８の押圧部２８ｃを押圧し、スライド体２８全体を先端側へスライドさせると、図５（ｃ）に示すように、スライド体２８の突起２８ｄの上向きの傾斜面（係合面）が回転体２４の凸部２４ｃの傾斜面と平行に係合することにより、回転体２４が前記一定方向と逆の方向に回転して、固定ピン先端部２７ａが相対的に係止溝２４ｂから案内溝２４ａへ戻り、固定ピン２７による回転体２４の軸方向移動の規制が解除される。そして、この後にスライド体２８の押圧を止めると、離反ばね３０の弾力によってスライド体２８が初期位置に復帰するとともに、弁体２１、回転体２４、押圧体２６および開閉ボタン５が、閉弁ばね２２に押されて一体に後端側へ移動して図５（ａ）の状態に戻り、噴霧器の噴射が停止される。
【００２９】
この噴霧器は、上述したように、開閉弁１８の弁体２１が液体供給路９を閉じた閉状態から、開閉機構４の回転体２４を押圧するだけで、回転体２４を回転させながら弁体２１と一体に軸方向移動させた後にその軸方向移動を規制して、弁体２１が液体供給路９を開いた開状態を保持することができ、また、開状態からスライド体２８をスライドさせるだけで、回転体２４を逆回転させてその軸方向移動規制を解除し、閉弁ばね２２の弾力で閉状態に戻せるので、従来のレバー式の開閉機構を有するものに比べて、噴霧器の噴霧状態と停止状態の切り替えが容易で、噴霧作業中の操作性も優れている。
【００３０】
また、開閉機構４は、作業者が把持部３を把持したときにその親指で開閉ボタン５およびスライド体２８を押圧できる位置に設けられているので、作業者が片手で把持部３を握ったまま、噴霧状態と停止状態の切り替えをスムーズに行うことができる。
【００３１】
さらに、この噴霧器では、従来のものに比べて、レバーがない分、噴霧作業中の操作がしやすいし、見かけがすっきりしたデザインになるという利点もある。
【符号の説明】
【００３２】
１  本体
２  ノズル部
３  把持部
４  開閉機構
５  開閉ボタン
７  調節つまみ
９  液体供給路
１０  流量調節弁
１８  開閉弁
２０  弁座
２１  弁体
２２  閉弁ばね
２３  筒体
２４  回転体
２４ａ  案内溝
２４ｂ  係止溝
２４ｃ  凸部
２５  連結軸（連結部材）
２６  押圧体
２７  固定ピン
２７ａ  先端部
２８  スライド体
２８ｄ  突起
３０  離反ばね
【図１】
2015073929.tif 000003
【図２】
2015073929.tif 000004
【図３】
2015073929.tif 000005
【図４】
2015073929.tif 000006
【図５】
2015073929.tif 000007